(57)【要約】【課題】専用のコーヒードリップポットを購入せずに、美味しいコーヒーを容易に淹れることができるコーヒードリップ用の注ぎ口具を提供する。【解決手段】筒状の本体１１とクリップ１２とを有する。本体１１はゴム弾性を有する素材から成る。本体１１は注ぎ口３に着脱可能に密着する後端開口と、後端開口より細い先端開口とを有する。クリップ１２は口径可変部とつまみ部とを有して本体１１の後端の厚み内に埋め込まれている。口径可変部は、バネ弾性を有し、後端開口の内径を拡大縮小可能であって内径を縮小させて後端開口を注ぎ口３に密着させるよう付勢されている。つまみ部は、内径を拡大させて後端開口を注ぎ口３から取り外せるよう口径可変部を操作可能に口径可変部に設けられている。【選択図】図１
0003199775.tif 000002
【実用新案登録請求の範囲】
【請求項１】
やかんの注ぎ口に取り付けられるコーヒードリップ用の注ぎ口具であって、
筒状の本体を有し、前記本体は前記注ぎ口に着脱可能に密着する後端開口と、前記後端開口より細い先端開口とを有することを、
特徴とするコーヒードリップ用の注ぎ口具。
【請求項２】
クリップを有し、
前記本体はゴム弾性を有する素材から成り、
前記クリップは口径可変部とつまみ部とを有して前記本体の後端の厚み内に埋め込まれ、
前記口径可変部は、バネ弾性を有し、前記後端開口の内径を拡大縮小可能であって前記内径を縮小させて前記後端開口を前記注ぎ口に密着させるよう付勢されており、
前記つまみ部は、前記内径を拡大させて前記後端開口を前記注ぎ口から取り外せるよう前記口径可変部を操作可能に前記口径可変部に設けられていることを、
特徴とする請求項１記載のコーヒードリップ用の注ぎ口具。
【請求項３】
注水調整部を有し、
前記注水調整部は、Ｃ字状の横断面を有し、前記本体の先端の厚み内に埋め込まれ、押し広げることにより前記先端開口の内径を拡大可能であり、所定の温度以上で前記先端開口を前記後端開口より細い状態に復元可能な形状記憶合金から成ることを、
特徴とする請求項２記載のコーヒードリップ用の注ぎ口具。
【考案の詳細な説明】
【技術分野】
【０００１】
本考案は、コーヒードリップ用の注ぎ口具に関する。
【背景技術】
【０００２】
香りが良好で、雑味が無い、美味しいドリップコーヒーを抽出するには、挽き豆を十分に蒸らし、浮いて出てきたアクを落とさずにコーヒーを抽出することが重要である。そのために、挽き豆の表情を見ながら細く、お湯を注げるよう、コーヒードリップポットの注ぎ口は、細長く、Ｕ字状に曲げられている（例えば、特許文献１参照）。
【先行技術文献】
【特許文献】
【０００３】
【特許文献１】特開２０１０−１３１０７４号公報
【考案の概要】
【考案が解決しようとする課題】
【０００４】
しかしながら、専用のコーヒードリップポットを購入するのは経済的な負担となり、また、収納スペースが必要となるという課題があった。また、美味しいコーヒーを淹れるには、ドリッパーに入れたコーヒーの粉に中心から外側に向かって、「の」の字を描くように、細くゆっくりとお湯を注ぐことが望ましいが、そのような注ぎ方に慣れるまでには時間がかかるという課題があった。
【０００５】
本考案は、このような課題に着目してなされたもので、専用のコーヒードリップポットを購入せずに、美味しいコーヒーを容易に淹れることができるコーヒードリップ用の注ぎ口具を提供することを目的とする。
【課題を解決するための手段】
【０００６】
上記目的を達成するために、本考案に係るコーヒードリップ用の注ぎ口具は、やかんの注ぎ口に取り付けられるコーヒードリップ用の注ぎ口具であって、筒状の本体を有し、前記本体は前記注ぎ口に着脱可能に密着する後端開口と、前記後端開口より細い先端開口とを有することを、特徴とする。
【０００７】
本考案に係るコーヒードリップ用の注ぎ口具は、筒状の本体の後端開口をやかんの注ぎ口に取り付けて使用される。やかんは、市販の一般のものでよい。後端開口は、注ぎ口に密着するため、後端開口から熱湯が零れ落ちるのを防ぐことができる。先端開口はやかんの注ぎ口より細いため、中心から外側に向かって、「の」の字を描くように、細くゆっくりとお湯を注ぐのに適している。着脱可能なため、注ぎ口から取り外して、やかんを通常の用途に戻すことができる。このように、専用のコーヒードリップポットを購入する必要がなく、経済的でかつ収納スペースをとられずに、美味しいコーヒーを容易に淹れることができる。なお、本体は、やかんに取り付けたとき、やかんの注ぎ口から緩やかに湾曲して下がる形状をなしていることが好ましい。後端開口は、やかんの注ぎ口にゴムの伸縮力で取り付けられても、クリップで取り付けられてもよい。
【０００８】
本考案に係るコーヒードリップ用の注ぎ口具は、クリップを有し、前記本体はゴム弾性を有する素材から成り、前記クリップは口径可変部とつまみ部とを有して前記本体の後端の厚み内に埋め込まれ、前記口径可変部は、バネ弾性を有し、前記後端開口の内径を拡大縮小可能であって前記内径を縮小させて前記後端開口を前記注ぎ口に密着させるよう付勢されており、前記つまみ部は、前記内径を拡大させて前記後端開口を前記注ぎ口から取り外せるよう前記口径可変部を操作可能に前記口径可変部に設けられていることが好ましい。
【０００９】
この場合、クリップのつまみ部により口径可変部を操作して後端開口の内径を拡大させて、やかんの注ぎ口への後端開口の取付け、取外しを容易にすることができる。口径可変部は、常態ではバネで付勢されて後端開口を注ぎ口に密着させている。クリップは、本体の厚み内に埋め込まれているので、本体から外れるおそれがなく、また、クリップと本体との間に汚れが付着するおそれがないので、衛生的である。
【００１０】
本考案に係るコーヒードリップ用の注ぎ口具は、注水調整部を有し、前記注水調整部は、Ｃ字状の横断面を有し、前記本体の先端の厚み内に埋め込まれ、押し広げることにより前記先端開口の内径を拡大可能であり、所定の温度以上で前記先端開口を前記後端開口より細い状態に復元可能な形状記憶合金から成ることが好ましい。
【００１１】
この場合、本体の内部を洗うとき、注水調整部を押し広げることにより先端開口の内径を拡大することができるので、本体内部が洗いやすくなっている。注水調整部は形状記憶合金から成るため、所定の温度以上に加熱すれば、先端開口を容易に細い状態に戻すことができる。コーヒーの粉にお湯を注ぐとき、本体の先端開口が細くなるかどうかを基準に、お湯が十分な温度かどうかを確認することもできる。先端開口を細い状態に戻し忘れた場合にも、所定の温度以上のお湯をやかんから注ぐことにより元に戻すことができる。また、注水調整部が錘となって、ゴム弾性を有する本体の先端を揺らして回転させやすくなるので、「の」の字を描くようにお湯を注ぎやすく、美味しいコーヒーを容易に淹れることができる。
【考案の効果】
【００１２】
本考案によれば、専用のコーヒードリップポットを購入せずに、美味しいコーヒーを容易に淹れることができるコーヒードリップ用の注ぎ口具を提供することができる。
【図面の簡単な説明】
【００１３】
【図１】本考案の実施の形態のコーヒードリップ用の注ぎ口具をやかんに取り付けた状態を示す側面図である。
【図２】図１に示すコーヒードリップ用の注ぎ口具の（Ａ）正面図、（Ｂ）側面図である。
【図３】図１に示すコーヒードリップ用の注ぎ口具のクリップを示す正面図である。
【図４】図１に示すコーヒードリップ用の注ぎ口具の注水調整部を示す斜視図である。
【考案を実施するための形態】
【００１４】
以下、図面に基づき本考案の実施の形態について説明する。
図１に示すように、本考案の実施の形態のコーヒードリップ用の注ぎ口具１は、筒状の本体１１と、クリップ１２と、注水調整部１３とを有している。コーヒードリップ用の注ぎ口具１は、やかん２の注ぎ口３に取り付けられる。やかん２は、市販の一般のものでよい。
【００１５】
本体１１は、耐熱性・耐冷性で、人体に有害な物質を含まず、抗菌性を有したシリコンチューブから成り、ゴム弾性を有する。本体１１は、やかん２に取り付けたとき、やかんの注ぎ口から緩やかに湾曲して下がる形状をなしている。本体１１には、様々な色のものを用いることができる。図２に示すように、本体１１は、注ぎ口３に着脱可能に密着する後端開口１１ａと、後端開口１１ａより細い先端開口１１ｂとを有する。後端開口１１ａは、内径がやかん２の注ぎ口３の外径よりやや小さく、伸縮力により注ぎ口３に密着可能である。
【００１６】
図２および図３に示すように、クリップ１２は、口径可変部１２ａとつまみ部１２ｂとを有する。口径可変部１２ａは、バネ弾性を有する板金を環状に一巻きして構成され、つまみ部１２ｂは板金の平板状に伸ばした両端から構成される。クリップ１２は、本体１１の後端の厚み内に埋め込まれ、シリコンゴムで被覆されている。口径可変部１２ａは、後端開口１１ａの内径を拡大縮小可能であって内径を縮小させて後端開口１１ａを注ぎ口３に密着させるよう付勢されている。つまみ部１２ｂは、指でつまむことにより、内径を拡大させて後端開口１１ａを注ぎ口３から取り外せるよう、口径可変部１２ａを操作可能に口径可変部１２ａに一体的に設けられている。
【００１７】
図４に示すように、注水調整部１３は、側面にスリット１３ａを有する円錐台形状の形状記憶合金から成り、Ｃ字状の横断面を有している。注水調整部１３は、細い方を先端開口１１ｂの側に向けて本体１１の先端の厚み内に埋め込まれ、シリコンゴムで被覆されている。注水調整部１３は、本体１１の先端を揺らす錘となるよう所定の重さを有している。注水調整部１３は、押し広げることにより先端開口１１ｂの内径を拡大可能であり、所定の温度以上、例えば８０℃以上で先端開口１１ｂを後端開口１１ａより細い状態に復元可能となっている。注水調整部１３が形状を復元する温度は、材料の選択により予め設定可能である。
【００１８】
次に、作用について説明する。
図１に示すように、コーヒードリップ用の注ぎ口具１は、筒状の本体１１の後端開口１１ａをやかん２の注ぎ口３に嵌合させて使用される。このとき、クリップ１２のつまみ部１２ｂを指でつまんで口径可変部１２ａを操作し、後端開口１１ａの内径を拡大させて、やかん２の注ぎ口３への後端開口１１ａの取付け、取外しを容易にすることができる。口径可変部１２ａは、常態ではクリップ１２のバネで付勢されて後端開口１１ａを注ぎ口３に密着させている。クリップ１２で留めることにより、後端開口１１ａが不用意に引っ張られて外れるのを防止することができる。後端開口１１ａは、注ぎ口３に密着するため、後端開口１１ａから熱湯が零れ落ちるのを防ぐことができる。
【００１９】
やかん２に水を入れ、やかん２をコンロに載せてお湯を沸かす。ドリッパーにフィルターをセットし、フィルターの上に挽いたコーヒーの粉を入れる。粉の上にお湯を注ぐ。最初は、お湯をゆっくりと注ぎ、粉を蒸らす。次に、粉の上に中心から外に向かい「の」の字を描くように、細くゆっくりとお湯を注ぐ。先端開口１１ｂはやかん２の注ぎ口３より細いため、中心から外側に向かって、「の」の字を描くように、細くゆっくりとお湯を注ぐのに適している。
【００２０】
注水調整部１３の内径が開いているときには、注がれる熱湯の温度で内径が小さくなる。このため、所定の温度以上の熱湯であれば、常に細い状態で注ぐことができる。また、形状記憶合金製の注水調整部１３が錘となって、ゴム弾性を有する本体１１の先端を揺らして回転させやすくなるので、「の」の字を描くようにお湯を注ぎやすく、美味しいコーヒーを容易に淹れることができる。
【００２１】
コーヒードリップ用の注ぎ口具１は着脱可能なため、注ぎ口３から取り外して、やかん２を通常の用途に戻すことができる。このように、専用のコーヒードリップポットを購入する必要がなく、経済的でかつ収納スペースをとられずに、美味しいコーヒーを容易に淹れることができる。
【００２２】
使用後、洗浄するときには、注水調整部１３を押し広げることにより先端開口１１ｂの内径を拡大することができるので、本体１１の内部をブラシなどで洗いやすくなっている。注水調整部１３は形状記憶合金から成るため、所定の温度、例えば８０℃以上に加熱すれば、先端開口１１ｂを容易に細い状態に戻すことができる。コーヒーの粉にお湯を注ぐとき、本体１１の先端開口１１ｂが細くなるかどうかを基準に、お湯が十分な温度かどうかを確認することもできる。先端開口１１ｂを細い状態に戻し忘れた場合にも、所定の温度以上のお湯をやかん２から注ぐことにより元に戻すことができる。クリップ１２は、本体１１の厚み内に埋め込まれているので、本体１１から外れるおそれがなく、また、クリップ１２と本体１１との間に汚れが付着するおそれがないので、衛生的である。
【符号の説明】
【００２３】
１  コーヒードリップ用の注ぎ口具
２  やかん
３  注ぎ口
１１  本体
１１ａ  後端開口
１１ｂ  先端開口
１２  クリップ
１２ａ  口径可変部
１２ｂ  つまみ部
１３  注水調整部
１３ａ  スリット
【図１】
0003199775.tif 000003
【図２】
0003199775.tif 000004
【図３】
0003199775.tif 000005
【図４】
0003199775.tif 000006